(57)【特許請求の範囲】
【請求項１】
実験動物飼育施設の飼育室内を換気しつつその排気中のアンモニアからなる悪臭物質を除去する脱臭換気装置において、
上記飼育室に接続され、飼育室内に外気を導入する外気導入ラインと、
スクラバ本体の下部に水溜め部が形成され、その水溜め部の上部のスクラバ本体内に充填層が形成され、その充填層の上部にミストエリミネータが設けられ、更に充填層の上部に水溜め部内の水を充填層の上部に噴射するスプレー管が設けられた充填式水スクラバと、
上記飼育室に接続され、その飼育室内の空気を上記充填式水スクラバの水溜め部上に流す上流側排気ラインと上記充填式水スクラバの上部に接続されアンモニア除去後の上記空気を大気に放出する下流側排気ラインとからなる排気ラインと、
下流側排気ラインと上記外気導入ラインとに接続され、充填式水スクラバを通った排気と外気とを間接接触させて熱交換する顕熱交換器と
を備えたことを特徴とする実験動物飼育施設などの脱臭換気装置。
【発明の詳細な説明】
【０００１】
【発明の属する技術分野】
本発明は、実験動物飼育施設などで生じた悪臭物質を脱臭しつつ換気するための実験動物飼育室などの脱臭換気装置に関するものである
【０００２】
【従来の技術】
実験動物飼育施設などでは、実験動物の飼育環境を良好に保つためには、実験動物の排泄物から発生する悪臭物質が施設内に充満しないよう換気が必要である。
【０００３】
しかし、施設外に悪臭物質を放出したのでは、周辺住民に迷惑をかけることとなり、悪臭対策が必要である。
【０００４】
実験動物飼育施設の換気で、排出される排気中、もっとも濃度の高い悪臭物質は、アンモニアである。
【０００５】
アンモニアの除去方法としては、化学吸着があるが、吸着材の維持費が高いという問題がある。
【０００６】
アンモニアが、易水溶性であるため、排気を水スクラバを通し、水洗いによる除去が考えられる。また、高濃度処理あるいは高効率除去が必要とされる場合には、次亜塩素酸ソーダ等の薬液を添加する必要がある。
【０００７】
【発明が解決しようとする課題】
しかしながら、実験動物飼育施設では、換気のために取り入れる外気量が多く、これに見合って排気量も多くなるため、多量の排気を水スクラバを通してそのまま排気したのでは、コストが高くなる問題がある。
【０００８】
また換気のために取り入れる外気量が多く、大量の排気からアンモニア等の悪臭物質を効率よく除去し、しかも換気用の外気の温度調整も必要とするため、コストが高くなる問題がある。
【０００９】
そこで、本発明の目的は、上記課題を解決し、実験動物飼育施設などを換気する際に、その排気中の悪臭物質を除去し、しかも取り入れる外気の温度調整ができる実験動物飼育施設などの脱臭換気装置を提供することにある。
【００１０】
【課題を解決するための手段】
上記目的を達成するために、請求項１の発明は、実験動物飼育施設の飼育室内を換気しつつその排気中のアンモニアからなる悪臭物質を除去する脱臭換気装置において、
上記飼育室に接続され、飼育室内に外気を導入する外気導入ラインと、
スクラバ本体の下部に水溜め部が形成され、その水溜め部の上部のスクラバ本体内に充填層が形成され、その充填層の上部にミストエリミネータが設けられ、更に充填層の上部に水溜め部内の水を充填層の上部に噴射するスプレー管が設けられた充填式水スクラバと、
上記飼育室に接続され、その飼育室内の空気を上記充填式水スクラバの水溜め部上に流す上流側排気ラインと上記充填式水スクラバの上部に接続されアンモニア除去後の上記空気を大気に放出する下流側排気ラインとからなる排気ラインと、
下流側排気ラインと上記外気導入ラインとに接続され、充填式水スクラバを通った排気と外気とを間接接触させて熱交換する顕熱交換器と
を備えたことを特徴とする実験動物飼育施設などの脱臭換気装置である。
【００１２】
【発明の実施の形態】
以下、本発明の好適実施の形態を添付図面に基づいて詳述する。
【００１３】
図１は、本発明の実験動物飼育施設などの脱臭換気装置の概略を示したものである。
【００１４】
図において、１０は、マウスやラットなどの小動物、うさぎなどの中型動物、猿や犬など比較的大型の実験動物の飼育室で、その飼育室１０に換気のための排気ライン１１が接続される。
【００１５】
この排気ライン１１には、排気ライン１１からの排気中に含まれるアンモニアなどの悪臭物質を除去する充填式水スクラバ１２が接続される。
【００１６】
充填式水スクラバ１２は、スクラバ本体１３の下部に水溜め部１４が形成され、その水溜め部１４上のスクラバ本体１３に排気導入室１５が形成され、その排気導入室１５上のスクラバ本体１３に排気通路１６が形成され、その排気通路１６に充填層１７とその上部にミストエリミネータ１８が設けられて構成される。
【００１７】
水溜め部１４の水は、スプレーライン１９にて充填層１７の上部に噴射される。スプレーライン１９には、ストレーナ２０、循環ポンプ２１、逆止弁２２、流量調整弁２３、フローメータ２４が順に接続され、充填層１７の上部には、スプレーライン１９からの水を噴射するスプレー管２４が設けられる。
【００１８】
水溜め部１４上のスクラバ本体１３には、主給水ライン２５とボールタップ２６が接続された補給水ライン２７が接続される。
【００１９】
上流側の排気ライン１１ａは、充填式水スクラバ１２の排気導入室１５に下向きに流れるよう接続され、充填式水スクラバ１２の上部には、排気中の悪臭物質が除去された排気の下流側の排気ライン１１ｂが接続される。
【００２０】
飼育室１０には、外気を取り入れるための外気導入ライン２８が接続される。この外気導入ライン２８と下流側の排気ライン１１ｂには、充填式水スクラバ１２を通った排気と外気とを間接熱交換するための顕熱交換器３０が設けられる。
【００２１】
なお、３２は、水溜め部１４の底部に接続したドレン管、３２ａは、水溜め部１４内の水をドレン管３２に流すオーバフロー管である。
【００２２】
次に本発明の作用を説明する。
【００２３】
飼育室１０内の空気は、排気ライン１１より、充填式水スクラバ１２に供給され、充填層１７を通過する際に、充填層１７の上部のスプレー管２４よりスプレーされた水と接触して排気中のアンモニアなどの悪臭物質が吸収除去され、他方外気は、顕熱交換器３０で、排気と熱交換して冷却されて飼育室１０内に換気空気として導入される。
【００２４】
この際、外気条件が、３２．６℃、６４％ＲＨ、飼育室条件が２３．０℃、５５％ＲＨ、顕熱交換器３０の効率を５０％としたときの熱回収効率（エンタルピ交換率）は、２２％と概算され、熱交換器で単に外気を冷却するシステムと比較して約５０％の性能向上が図れる。その時のアンモニア除去率７４％以上が達成される。
【００２５】
図２は、本発明の実験動物飼育施設などの脱臭換気装置の具体例を示したもので、充填式水スクラバと顕熱交換器とを一体に組み込んだ例を示したものである。
【００２６】
図２において、箱形のスクラバ本体３３の下部には水溜め部３４が形成され、その水溜め部３４上のスクラバ本体３３の一側に水溜め部３４とつながる排気通路３５が形成され、他側に熱交換室３６が形成される。
【００２７】
排気通路３５には、充填層３７が設けられ、その上部には、熱交換室３６と排気通路３５を区画するミストエリミネータ３８が設けられる。
【００２８】
充填層３７上には、水溜め部３４の水を噴射するスプレー管３９が設けられ、そのスプレー管３９と水溜め部３４をつないでスプレーライン４０が接続されると共にそのスプレーライン４０に循環ポンプ４１が接続される。またこのスプレーライン４０には、図１で説明したようにストレーナ２０、逆止弁２２、流量調節弁２３、フローメータ２４が接続される。
【００２９】
熱交換室３６には、フィンプレートが多段に積層された顕熱交換器４２が設けられる。この顕熱交換器４２は、熱交換室３６を、外気導入室４３及び外気排出室４４の外気側とミストエリミネータ３８に臨んだ排気流入室４５及び排気出口室４６の排気側とに仕切り、排気と外気をフィンプレートの１枚毎に交互に十字向流で流して熱交換するようになっている。
【００３０】
充填層３７の下方の排気通路３５には、上流側の排気ライン１１ａと接続される排気導入口４７が設けられ、排気出口室４６には、下流側の排気ライン１１ｂと接続される排気出口４８が設けられ、また外気導入室４３には、外気ライン２８ａと接続する外気導入口４９が設けられ、外気排出室４４には、飼育室に外気ライン２８ｂを介して外気を供給する外気出口５０が設けられる。
【００３１】
また、水溜め部３４上のスクラバ本体３３には、図１で説明したように、主給水ライン２５とボールタップ２６が接続された補給水ライン２７が接続される。
【００３２】
以上において、飼育室（図示せず）からの排気は、排気ライン１１ａから排気導入口４７を通して排気通路３５に流入し、充填層３７でスプレー管３９から噴射される水と接触し、排気中のアンモニアなどの悪臭物質が吸収除去され、ミストエリミネータ３８を通して、排気流入室４５に流れ、顕熱交換器４２を通って飼育室内に導入される外気と熱交換した後、排気出口室４６に流れ、排気出口４８から排気ライン１１ｂにて排気される。
【００３３】
他方、外気は、外気ライン２８ａより、外気導入室４３に流入し、顕熱交換器４２を通して、排気と間接熱交換して冷却されて外気排出室４４に流れ、外気ライン２８ｂを通して飼育室内に冷却された外気を供給する。
【００３４】
【発明の効果】
以上要するに本発明によれば、飼育室内を脱臭換気するに際して、飼育室内の排気を充填式水スクラバを通して排気中のアンモニアなどの悪臭物質を吸収除去し、飼育室内に導入する外気を、排気と熱交換して供給することで、排気の脱臭と同時に空調熱負荷の低減を図ることが可能となる。
【図面の簡単な説明】
【図１】本発明の一実施の形態を示す概略構成図である。
【図２】本発明において、充填式水スクラバと顕熱交換器とを一体に組み込んだ実施の形態を示す斜視図である。
【符号の説明】
１０  飼育室
１１  排気ライン
１２  充填式水スクラバ
２８  外気導入ライン
３０  顕熱交換器
【図１】
0004743950.tif 000002
【図２】
0004743950.tif 000003